(57)【特許請求の範囲】
【請求項１】
建築物の構造躯体に取付けられる支持部材と、その支持部材に支持されるガスケット受け部と、同ガスケット受け部に取付けられるとともに、建築物の壁面に設けられる面材の周縁部を保持するジッパーガスケットとを備え、前記支持部材は、面材と直交する方向に延びる支持板と、面材の内側近傍位置において支持板の両面から直交方向に延びるように突出形成された延出体とより構成され、
前記ガスケット受け部は、支持部材の支持板に対し空隙部を介して取付けられ、ボルトとナットにより支持部材に支持されるとともに、支持部材とガスケット受け部との間には、付勢部材が圧縮状態で介装されていることを特徴とする建築物における面材の支持装置。
【請求項２】
前記ガスケット受け部は、面材と支持部材の延出体との間において延出体に沿って延びるように構成されている請求項１に記載の建築物における面材の支持装置。
【発明の詳細な説明】
【０００１】
【発明の属する技術分野】
本発明は、鉄筋コンクリート構造（ＲＣ構造）や鉄骨鉄筋コンクリート構造（ＳＲＣ構造）等の建築物において、ガラス板や外壁パネル等の面材を支持するための建築物における面材の支持装置に関するものである。
【０００２】
【従来の技術】
従来この種の建築物における面材の支持装置（以下、単に支持装置とも言う）は、支持部材としてのアルミニウムやスチール等の金属製の支持板を備えている。この支持板の屋内側の基端部の両側面には、支持板の側面に対する直交方向からの力を受けるためのアルミニウムやスチール等の金属製の略Ｌ字状をなす一対のアングルが、支持板を左右から挟むように、ボルト及びナットにより固着されている。
【０００３】
また、支持板の先端部の両側面には、アルミニウムやスチール等の金属製の一対のガスケット受け部が、支持板を介して、ボルト及びナットにより連結されている。このガスケット受け部は、ゴム材料製のジッパーガスケットを固定するための断面コ字状をなす固定部を備えている。そして、ジッパーガスケットをガスケット受け部に固定した後に、ガラス板や外装パネル等の面材の端部をジッパーガスケットに嵌入することによって、面材は支持装置に支持されるようになっている。
【０００４】
【発明が解決しようとする課題】
ところが、この従来の支持装置においては、面材をジッパーガスケットに嵌入する前に、予めアングルを支持板に固着する作業が必要である。よって、支持装置の構成が複雑となって施工作業が繁雑になるとともに、施工コストが嵩むという問題があった。
【０００５】
本発明は、上記のような従来技術に存在する問題点に着目してなされたものである。その目的とするところは、構成が簡易で施工作業が容易であるとともに、施工コストを節約することができる建築物における面材の支持装置を提供することにある。
【０００６】
【課題を解決するための手段】
上記の目的を達成するために、請求項１に記載の建築物における面材の支持装置では、建築物の構造躯体に取付けられる支持部材と、その支持部材に支持されるガスケット受け部と、同ガスケット受け部に取付けられるとともに、建築物の壁面に設けられる面材の周縁部を保持するジッパーガスケットとを備え、前記支持部材は、面材と直交する方向に延びる支持板と、面材の内側近傍位置において支持板の両面から直交方向に延びるように突出形成された延出体とより構成され、前記ガスケット受け部は、支持部材の支持板に対し空隙部を介して取付けられ、ボルトとナットにより支持部材に支持されるとともに、支持部材とガスケット受け部との間には、付勢部材が圧縮状態で介装されているものである。
【０００７】
請求項２に記載の建築物における面材の支持装置では、請求項１に記載の発明において、前記ガスケット受け部は、面材と支持部材の延出体との間において延出体に沿って延びるように構成されているものである。
【０００９】
【発明の実施の形態】
以下、本発明を具体化した一実施形態を図面に基づいて詳細に説明する。なお、図１から図５においては、面材としてのガラス板１１を基準にし、ガラス板１１より右側を屋内側、ガラス板１１より左側を屋外側と称する。
【００１０】
図５及び図６に示すように、建築物の構造躯体１２の上面には、側面略門型状の第１ファスナー１３が溶接されている。第１ファスナー１３の上面には、側面略Ｌ字状の第２ファスナー１４が、ボルト１５とナット１６により水平方向に位置調整可能に連結されている。なお、ボルト１５が挿通される第１ファスナー１３と第２ファスナー１４の挿通孔は、図示しないが、互いに直交する長穴となっている。
【００１１】
第２ファスナー１４の底片１７の中心には、第１貫通孔１８が開口形成され、第２ファスナー１４の側片１９の中央には、取付凹部２０が切欠き形成されている。支持装置２１を第２ファスナー１４に取付けるためのファスナー板２２は、第２ファスナー１４の側片１９に平行な取付板２３と、この取付板２３と直交する方向に延びるように取付板２３の中央部に溶接された突出板２４とから主に構成されている。
【００１２】
取付板２３の上端部の中央には、突出板２４の反対側に側面略長方形状の延長板２５が溶接されている。この延長板２５の先端には、高さ調整用ナット２６が溶接され、この高さ調整用ナット２６には、高さ調整用ボルト２７が螺合されている。
【００１３】
そして、ファスナー板２２は、ボルト２８とナット２９によって取付板２３を第２ファスナー１４に連結することにより、第２ファスナー１４に水平位置調節可能に連結されている。なお、ボルト２８が挿通されるファスナー板２２と第２ファスナー１４の挿通孔は、図示しないが、互いに直交する長穴となっている。
【００１４】
図２に示すように、支持部材を構成する鉄やアルミニウム等の金属製の支持板３０の両側面のほぼ中央部には、支持板３０の側面に直交する方向に延びる延出体としての延出片３１が突出形成されている。支持板３０には、延出片３１の屋外側の近傍位置に、複数の第２貫通孔３２が開口形成されている。
【００１５】
図１及び図５に示すように、支持板３０は、固定板３３を介して、ファスナー板２２に位置調整可能に連結されている。すなわち、それぞれ２枚の板材３４を重ねて構成される一対の固定板３３が、ファスナー板２２の突出板２４の屋外側端部の両側面と支持板３０の上下両端の両側面とを左右から挟むように、ボルト３５とナット３６により連結されている。なお、ボルト３５が挿通される支持板３０、ファスナー板２２及び固定板３３の挿通孔は、図示しないが、それぞれ互いに直交する長穴となっている。
【００１６】
図１、図３及び図４に示すように、鉄やアルミニウム等の金属製のガスケット受け部３７は、支持板３０の側面に平行なガスケット受け片３８と、このガスケット受け片３８と直交する方向に延びるように形成されたガスケット支持片３９とから構成されている。
【００１７】
ガスケット受け片３８の中心部には、ゴム材料製のジッパーガスケット４０を固定するための固定部４１が設けられている。この固定部４１は、両側壁が外方に向かって開口する断面略コ字状に形成されている。固定部４１の中間壁の中心には、前記第２貫通孔３２に対応する第３貫通孔４２が開口形成されている。
【００１８】
そして、支持板３０の第１貫通孔１８及びガスケット受け片３８の第３貫通孔４２を介して、一対のガスケット受け部３７が支持板３０を左右から挟むように、ボルト４３とナット４４により連結されている。ガスケット受け片３８と支持板３０の側面及びガスケット支持片３９と延出片３１との間には、空隙部４５がそれぞれ形成されている。
【００１９】
ガスケット受け片３８と支持板３０の側面との間には、コイルばね４６が介装され、ガスケット受け部３７は、常に外方へ付勢されるようになっている。また、ガスケット受け片３８の先端部には、断面クランク状の第１係止片４７が、ガスケット受け片３８と直交する方向に延びるように形成されている。第１係止片４７と支持板３０の側面との間は、断面略長方形状の第１シール片４８によりシールされている。
【００２０】
ガスケット支持片３９のほぼ先端部には、断面クランク状の固定片４９が設けられている。この固定片４９には、ガラス板１１とガスケット受け部３７との間をシールするための断面長方形状の第２シール片５０が嵌合されている。
【００２１】
また、ガスケット支持片３９の端部と延出片３１の側面との間は、断面略長方形状の第３シール片５１によりシールされている。さらに、第３シール片５１の外側は、断面略横台形状の第４シール片５２によりシールされている。
【００２２】
図１及び図４に示すように、ジッパーガスケット４０を構成するガスケット本体５３は、支持板３０の側面に平行な基片５４を有する断面略Ｔ字状に形成されている。基片５４の支持板３０側の側面には、前記固定部４１に嵌合するための断面略長方形状の嵌合片５５が突設されている。この嵌合片５５の両側面には、嵌合片５５の固定部４１からの抜け出しを防止するための断面略長方形状の突出片５６が、それぞれ複数個形成されている。
【００２３】
基片５４の支持板３０側の側面には、第１係止片４７と係合するための第２係止片５７が、嵌合片５５よりも屋外側に形成されている。そして、ガスケット本体５３がガスケット受け部３７に嵌合したときには、第２係止片５７が第１係止片４７に係合することにより、ガスケット本体５３がガスケット受け部３７から抜け出すのを防止するようになっている。
【００２４】
また、ガスケット本体５３には、ガラス板１１を押圧するための面材当接片５８が、基片５４の側面に直交する方向に延びるように形成されている。そして、ガラス板１１の端部をガスケット本体５３に嵌入したときには、ガスケット本体５３の面材当接片５８と第２シール片５０とがガラス板１１の端部を両端側から挟み込んで支持するようになっている。
【００２５】
ガスケット本体５３の屋外側の側面には、支持板３０に向かうに従い屋外側へ傾斜するテーパ面５９が形成されている。このテーパ面５９の中心には、ジッパーガスケット４０を構成するジッパー６０が嵌入されるジッパー溝６１が凹設されている。このジッパー溝６１の両側面には、嵌合凹部６２がそれぞれ凹設されている。
【００２６】
ジッパー６０は断面略長方形状に形成され、屋外側からジッパー溝６１に嵌入されるようになっている。また、ジッパー６０の両側面には、ジッパー溝６１の嵌合凹部６２に対応する嵌合凸部６３がそれぞれ突設されている。そして、ジッパー６０をジッパー溝６１に嵌合したときには、風等の衝撃により、ジッパー６０がジッパー溝６１から抜け出るのを防止するようになっている。
【００２７】
次に、上記のように構成された支持装置２１の作用を説明する。
さて、この支持装置２１を使用してガラス板１１を支持する場合には、図３に示すように、一対のガスケット受け部３７と支持板３０の側面との間にコイルばね４６を配置した後に、ボルト４３を第３貫通孔４２と第２貫通孔３２とに挿通してナット４４により仮締めして連結する。
【００２８】
次いで、第１係止片４７と支持板３０の側面との間を、第１シール片４８によりシールするとともに、ガスケット支持片３９の先端部と延出片３１の側面との間に、第３シール片５１及び第４シール片５２を嵌入する。そして、ボルト４３をナット４４に締付ける。
【００２９】
このとき、それぞれのガスケット受け部３７は、ボルト４３とナット４４による連結により、常に支持板３０方向へ付勢されるとともに、コイルばね４６の付勢力により、常に外方へ付勢される。このため、ガスケット受け部３７は、支持板３０とガスケット受け部３７との間に空隙部４５を保持した状態で強固に締付けられる。
【００３０】
そして、図４に示すように、ガスケット本体５３をガスケット受け部３７に嵌合するとともに、第２シール片５０をガスケット支持片３９の固定片４９に固定する。
【００３１】
次いで、図５に示すように、支持板３０に固定板３３を介してファスナー板２２を連結した後に、ファスナー板２２に第２ファスナー１４を連結する。そして、図６に示すように、高さ調整用ボルト２７を所定の位置まで高さ調整用ナット２６に螺合させた後に、第２ファスナー１４を第１ファスナー１３に取付ける。このとき、高さ調整用ボルト２７の先端部は、第１ファスナー１３の上面に当接している。
【００３２】
そして、図１及び図４に示すように、ガラス板１１をガスケット本体５３に嵌入した後に、ジッパー６０をジッパー溝６１に嵌入する。このとき、ガスケット本体５３の面材当接片５８と第２シール片５０とがガラス板１１の端部を両端から挟み込んで支持するとともに、ガスケット本体５３の第２係止片５７がガスケット受け部３７の第１係止片４７を押圧する。このため、ガラス板１１の端部をガスケット本体５３内に強固に固定することができるとともに、ガスケット本体５３をガスケット受け部３７に強固に固定することができる。
【００３３】
以上詳述した本実施形態によれば次のような効果が発揮される。
・  本実施形態の建築物における面材の支持装置２１においては、支持板３０に延出片３１が突出形成されている。このため、支持装置２１の構成が簡易となり、施工作業が容易で施工コストを節約することができる。
【００３４】
・  本実施形態の建築物における面材の支持装置２１においては、ガスケット受け部３７には、延出片３１に沿って、ガスケット支持片３９が形成されている。そして、ガスケット支持片３９の先端部と延出片３１との間は、第３シール片５１及び第４シール片５２によりシールされている。このため、支持板３０とガスケット受け部３７との間の空隙部４５に侵入した雨水や空隙部４５内の結露水が屋内に入るのを防止することができる。
【００３５】
・  本実施形態の建築物における面材の支持装置２１においては、ガスケット受け部３７と支持板３０の側面との間に空隙部４５が形成されている。このため、支持板３０とガスケット受け部３７との間の空隙部４５に侵入した雨水や空隙部４５内の結露水は、空隙部４５を下に向かって流れる。よって、支持板３０とガスケット受け部３７との間の空隙部４５に侵入した雨水や空隙部４５内の結露水が屋内に入るのを防止することができる。
【００３６】
・  本実施形態の建築物における面材の支持装置２１においては、それぞれのガスケット受け部３７と支持板３０の側面との間には、コイルばね４６が介装されている。このため、ガスケット受け部３７はボルト４３とナット４４による連結により、常に支持板３０方向へ付勢される一方、コイルばね４６の付勢力により、常に外方へ付勢される。よって、ガスケット受け部３７は、支持板３０を介して強個に連結される。
【００３７】
・  本実施形態の建築物における面材の支持装置２１においては、部材を連結させるためのボルトが挿通される挿通孔は、互いの部材の挿通孔が直交する長穴となっている。また、ファスナー板２２の延長板２５の先端には、高さ調整用ナット２６が溶接され、この高さ調整用ナット２６には、高さ調整用ボルト２７が螺合されている。このため、支持板３０をファスナー板２２、第２ファスナー１４及び第１ファスナー１３を介して構造躯体１２に取付けるときには、それぞれの部材の位置を容易に調整することができる。
【００３８】
なお、前記実施形態を次のように変更して構成することもできる。
・  前記コイルばね４６を、板ばね、皿ばね、スポンジ、ゴム等の他の付勢部材にしてもよい。このように構成した場合も、付勢部材の付勢力により、ガスケット受け部３７は、常に外方へ付勢される。
【００３９】
・  前記支持板３０の屋外側の端部を、ガスケット受け部３７の先端部に覆われる程まで短くしてもよい。このように構成した場合は、支持装置の構成がより簡易になるとともに、施工コストをさらに節約することができる。
【００４０】
次に、前記実施形態から把握できる技術的思想について以下に記載する。
【００４１】
・  前記ガスケット受け部を支持板と延出体に沿って延びるように配置し、ガスケット受け部の両端部と支持板又は延出体との間には、シール部材が設けられている請求項１又は請求項２に記載の建築物における面材の支持装置。このように構成すれば、ガスケット受け部と支持板又は延出体との間に侵入した雨水やガスケット受け部と支持板又は延出体との間の結露水が屋内に入るのを防止することができる。
【００４２】
【発明の効果】
本発明は、以上のように構成されているため、次のような効果を奏する。
請求項１に記載の発明の建築物における面材の支持装置によれば、構成が簡単で施工作業が容易であるとともに、施工コストを節約することができる。また、支持板とガスケット受け部との間の空隙部に侵入した雨水や空隙部内の結露水を下方へ流すことができる。さらに、ガスケット受け部は、常に支持板方向へ付勢されるとともに、付勢部材の付勢力により、常に外方へ付勢される。このため、ガスケット受け部は、支持板を介して強固に連結される。
【００４３】
請求項２に記載の発明の建築物における面材の支持装置によれば、請求項１に記載の発明の効果に加え、支持板とガスケット受け部との間の空隙部に侵入した雨水や空隙部内の結露水が屋内に入るのを防止することができる。
【図面の簡単な説明】
【図１】実施形態における支持装置を示す要部断面図。
【図２】支持板を示す要部断面図。
【図３】ガスケット受け部が支持板を介して連結された状態を示す要部断面図。
【図４】ガスケット受け部に嵌合したガスケット本体のジッパー溝にジッパーを嵌入する状態を示す要部断面図。
【図５】建築物の構造躯体に取付けられた支持板を示す要部側面図。
【図６】ファスナー板が第１ファスナーと第２ファスナーを介して建築物の構造躯体に取付けられた状態を示す要部斜視図。
【符号の説明】
１１…面材としてのガラス板、１２…構造躯体、２１…建造物における面材の支持装置、３０…支持板、３１…延出体としての延出片、３７…ガスケット受け部、４０…ジッパーガスケット、４５…空隙部。
【図１】
0003585849.tif 000002
【図２】
0003585849.tif 000003
【図３】
0003585849.tif 000004
【図４】
0003585849.tif 000005
【図５】
0003585849.tif 000006
【図６】
0003585849.tif 000007